(57)【要約】【課題】既設の三方枠を残したリニューアル工事を行う場合、既設の枠を残したままで乗り場ドアの耐衝撃性を向上させることが可能なエレベータの出入口装置を提供する。【解決手段】戸開方向に折り返された既設折り返し部１８を持つ既設縦枠１７を有する既設三方枠と、既設縦枠１７に取り付けられた新設縦枠２０を有する新設三方枠と、この新設三方枠の新設縦枠２０の昇降路８側の端部に新設縦枠２０に連続して形成され、戸開方向に折り返された新設縦枠折り返し部２１と、ドアパネル５と、ドアパネル５の戸開方向の端部に設けられ、戸開方向へ折り返されたドア折り返し部１６を有する遮蔽板１５とを備え、新設縦枠折り返し部２１は既設折り返し部１８よりも戸開方向に突出した突出部を有し、ドアパネル５の戸閉時において、この突出部と、ドア折り返し部１６とによって合いじゃくり構造が形成される。【選択図】図２
2010137957.tif 000002
【特許請求の範囲】
【請求項１】
エレベータの乗り場に設けられ、それぞれが戸開方向に折り返された既設折り返し部を持つ一対の既設縦枠を有する既設三方枠と、
前記乗り場に設けられ、それぞれがこの既設三方枠の前記一対の既設縦枠に取り付けられた一対の新設縦枠を有する新設三方枠と、
それぞれこの新設三方枠の前記一対の新設縦枠の昇降路側の端部にこれらの新設縦枠に連続して形成され、いずれも各戸開方向に折り返された２つの新設縦枠折り返し部と、
それぞれこれらの新設縦枠折り返し部と対向して設けられ、前記乗り場および昇降路の間の出入口を開閉する２枚のドアパネルと、
これらのドアパネルの戸開方向の各端部に設けられ、それぞれ戸開方向へ折り返されたドア折り返し部を有する２枚の遮蔽板と、を備え、
各新設縦枠折り返し部は各既設折り返し部よりも戸開方向に突出した突出部を有し、各ドアパネルの戸閉時において、これらの突出部と、各ドア折り返し部とによって合いじゃくり構造が形成されることを特徴とするエレベータの出入口装置。
【請求項２】
前記既設三方枠の各既設折り返し部と、各ドア折り返し部との間にそれぞれクリアランスが形成され、各クリアランスにそれぞれシムが挿入され、各シムを介して前記各既設折り返し部及び前記各ドア折り返し部がネジ固定されたことを特徴とする請求項１記載のエレベータの出入口装置。
【請求項３】
前記各既設折り返し部にそれぞれ戸開方向に延出する複数の板もしくは複数の突起物が取り付けられ、各板又は各突起物と、前記２つのドア折り返し部とによって、合いじゃくり構造が形成されることを特徴とする請求項１記載のエレベータの出入口装置。
【請求項４】
エレベータの乗り場に設けられ、上方に折り返された既設折り返し部を持つ既設上枠を有する既設三方枠と、
前記乗り場に設けられ、この既設三方枠の前記既設上枠に取り付けられた新設上枠を有する新設三方枠と、
この新設三方枠の前記新設上枠の昇降路側の端部に前記新設上枠に連続して形成され、上方に折り返された新設上枠折り返し部と、
それぞれこの新設上枠折り返し部と対向して設けられ、前記乗り場および昇降路の間の出入口を開閉する２枚のドアパネルと、
これらのドアパネルの各上端部に設けられ、それぞれ下方へ折り返されたドア折り返し部を有する２枚の遮蔽板と、を備え、
前記新設上枠折り返し部は前記既設折り返し部よりも上方に突出した突出部を有し、この突出部と、各ドア折り返し部とによって合いじゃくり構造が形成されることを特徴とするエレベータの出入口装置。
【請求項５】
前記２枚のドアパネルの下端部にそれぞれ取り付けられガイドシューと、
前記乗り場に設けられ、既設溝を有する既設敷居と、
この既設敷居の前記既設溝に嵌合する突条を有し、この突条が前記既設溝に嵌合することにより、各ガイドシューを案内する新設溝を形成して成る薄板とを有し、
この薄板の前記新設溝の溝開口部の一部の溝幅がこの新設溝の溝奥部における溝幅よりも狭くされ、前記各ガイドシューが抜け止めされたことを特徴とする請求項１又は４記載のエレベータの出入口装置。
【請求項６】
それぞれ戸開方向に折り返された既設折り返し部を有する一対の既設縦枠と、エレベータの乗り場および昇降路の間の出入口を開閉する２枚のドアパネルとを前記乗り場に設ける工程と、
これらの既設縦枠に、組立て後いずれも各戸開方向に折り返される２つの新設縦枠折り返し部を前記昇降路側の端部に設けて成る一対の新設縦枠を取り付ける工程と、
前記２枚のドアパネルの戸開方向の各端部に、それぞれ戸開方向へ折り返されたドア折り返し部を有する２枚の遮蔽板を取り付ける工程とを備え、
各新設縦枠折り返し部に設けられた各既設折り返し部よりも戸開方向に突出した突出部と、各ドア折り返し部とによって各ドアパネルの戸閉時において合いじゃくり構造が形成されることを特徴とするエレベータの出入口装置のリニューアル方法。
【請求項７】
上方に折り返された既設折り返し部を有する既設上枠と、エレベータの乗り場および昇降路の間の出入口を開閉する２枚のドアパネルとを、前記乗り場に設ける工程と、
この既設上枠に、組立て後上方に折り返される新設上枠折り返し部を前記昇降路側の端部に設けて成る新設上枠を取り付ける工程と、
前記２枚のドアパネルの各上端部に、それぞれ下方へ折り返されたドア折り返し部を有する２枚の遮蔽板を取り付ける工程と、を備え、
前記新設上枠折り返し部に設けられた前記既設折り返し部よりも上方に突出した突出部と、各ドア折り返し部とによって合いじゃくり構造が形成されることを特徴とするエレベータの出入口装置のリニューアル方法。
【請求項８】
前記乗り場に設けられた既設敷居の既設溝に嵌合する突条を有する薄板をこの既設溝に設置することにより、それぞれ前記２枚のドアパネルの下端部にそれぞれ取り付けられた複数のガイドシューが案内される新設溝を作成する工程を更に備えたことを特徴とする請求項６又は７記載のエレベータの出入口装置のリニューアル方法。
【請求項９】
前記薄板によって形成される前記新設溝の一部に、この新設溝から各ガイドシューが抜け止めすることを防止する引っ掛け部材を設ける工程を更に備えたことを特徴とする請求項８記載のエレベータの出入口装置のリニューアル方法。
【請求項１０】
前記新設溝を作成する工程に先立って作業され、前記乗り場側の床の一部を削って凹状溝部を作成する工程と、
前記新設溝を作成した工程の後に作業され、前記薄板を前記乗り場側に鈍角をつけて折り曲げてこの薄板の端部をこの凹状溝部に挿入する工程と、
前記凹状溝部に前記薄板の端部が挿入された状態で、この凹状溝部にシール材又はモルタルを用いて埋め戻す工程とを備えることを特徴とする請求項８記載のエレベータの出入口装置のリニューアル方法。
【請求項１１】
前記既設敷居の前記既設溝の上に複数のスペーサを設ける工程と、
これらのスペーサの上端部から床面へかけて勾配がつくようにして床材をこの床面上に敷設する工程とを備えることを特徴とする請求項８記載のエレベータの出入口装置のリニューアル方法。
【発明の詳細な説明】
【技術分野】
【０００１】
本発明はエレベータの出入口装置及びエレベータの出入口装置のリニューアル方法に関する。
【背景技術】
【０００２】
エレベータの出入口装置をリニューアルする場合、乗り場ドアや三方枠、ホールシルが改修される。
【０００３】
防災上、乗り場ドアには防火扉としての機能が求められる。乗り場ホール側の階床において火災が発生した場合、火災が乗り場ホールと昇降路とを介して他の階床に延焼することを乗り場ドアは防ぐ。万一、火災が発生した場合、乗り場ホール側に凸に湾曲するよう、乗り場ドアは出入口に設置されている（例えば特許文献１参照）。乗り場ドアに物品が衝突することや、乗客の身体がかごの内あるいは外から乗り場ドアに当たることがあり、乗り場ドアには耐衝撃性にも優れていなければならない。従来、耐火性及び耐衝撃性を兼ね備えた乗り場ドアを確保するためには、既設の三方枠やホールシルを交換する工事を要する。
【０００４】
近年、法規の改正によってエレベータの乗り場ドアには耐火性や耐衝撃性を向上させるよう要求されている。乗り場ドアは、熱変形による歪みを生じさせずに、高い衝撃強度を保持する必要がある。リニューアルされた後の乗り場ドアにも高い耐火性及び耐衝撃性が求められる。
【０００５】
かご室の出入口柱の補修時等に被覆体が出入口柱に装着されるエレベータの出入口装置については、従来、簡易な作業によって容易に被覆体を出入口柱に良好な仕上がり状態により正常に被着できるようにした装置が提案されている（特許文献２参照）。エレベータ用敷居については、敷居溝の修復作業を作業員が容易に、かつ短時間で行えるようにしたエレベータ用敷居が提案されている（特許文献３参照）。
【特許文献１】特開２００２−３７５７５号公報（図５、図６）
【特許文献２】特開２００２−２２６１５８号公報
【特許文献３】実開平７−２３６８号公報
【発明の開示】
【発明が解決しようとする課題】
【０００６】
しかしながら、リニューアル工事はエレベータの運行を長時間休止させる必要がある。また、エレベータの仕様を更新したり、出入口の意匠を変更するといった改修も行われる。エレベータの出入口装置を構成する部品どうしで装着される位置が異なる場合、リニューアル工事では既設三方枠も改修される。
【０００７】
エレベータの出入口装置は、既設の三方枠などを交換しないでリニューアル工事を済ませられるようにした構造を有することが望ましい。既設の三方枠などを交換せずに、リニューアル工事を行える設置工法が必要である。
【０００８】
そこで、本発明は、上記の課題に鑑み、既設の三方枠を残したリニューアル工事を行う場合、既設の枠を残したままで乗り場ドアの耐衝撃性を向上させることが可能なエレベータの出入口装置及びエレベータの出入口装置のリニューアル方法を提供することを目的とする。
【課題を解決するための手段】
【０００９】
このような課題を解決するため、本発明の一態様によれば、エレベータの乗り場に設けられ、それぞれが戸開方向に折り返された既設折り返し部を持つ一対の既設縦枠を有する既設三方枠と、前記乗り場に設けられ、それぞれがこの既設三方枠の前記一対の既設縦枠に取り付けられた一対の新設縦枠を有する新設三方枠と、それぞれこの新設三方枠の前記一対の新設縦枠の昇降路側の端部にこれらの新設縦枠に連続して形成され、いずれも各戸開方向に折り返された２つの新設縦枠折り返し部と、それぞれこれらの新設縦枠折り返し部と対向して設けられ、前記乗り場および昇降路の間の出入口を開閉する２枚のドアパネルと、これらのドアパネルの戸開方向の各端部に設けられ、それぞれ戸開方向へ折り返されたドア折り返し部を有する２枚の遮蔽板と、を備え、各新設縦枠折り返し部は各既設折り返し部よりも戸開方向に突出した突出部を有し、各ドアパネルの戸閉時において、これらの突出部と、各ドア折り返し部とによって合いじゃくり構造が形成されることを特徴とするエレベータの出入口装置が提供される。
【００１０】
また、本発明の一態様によれば、エレベータの乗り場に設けられ、上方に折り返された既設折り返し部を持つ既設上枠を有する既設三方枠と、前記乗り場に設けられ、この既設三方枠の前記既設上枠に取り付けられた新設上枠を有する新設三方枠と、この新設三方枠の前記新設上枠の昇降路側の端部に前記新設上枠に連続して形成され、上方に折り返された新設上枠折り返し部と、それぞれこの新設上枠折り返し部と対向して設けられ、前記乗り場および昇降路の間の出入口を開閉する２枚のドアパネルと、これらのドアパネルの各上端部に設けられ、それぞれ下方へ折り返されたドア折り返し部を有する２枚の遮蔽板と、を備え、前記新設上枠折り返し部は前記既設折り返し部よりも上方に突出した突出部を有し、この突出部と、各ドア折り返し部とによって合いじゃくり構造が形成されることを特徴とするエレベータの出入口装置が提供される。
【００１１】
また、本発明の一態様によれば、それぞれ戸開方向に折り返された既設折り返し部を有する一対の既設縦枠と、エレベータの乗り場および昇降路の間の出入口を開閉する２枚のドアパネルとを前記乗り場に設ける工程と、これらの既設縦枠に、組立て後いずれも各戸開方向に折り返される２つの新設縦枠折り返し部を前記昇降路側の端部に設けて成る一対の新設縦枠を取り付ける工程と、前記２枚のドアパネルの戸開方向の各端部に、それぞれ戸開方向へ折り返されたドア折り返し部を有する２枚の遮蔽板を取り付ける工程とを備え、各新設縦枠折り返し部に設けられた各既設折り返し部よりも戸開方向に突出した突出部と、各ドア折り返し部とによって各ドアパネルの戸閉時において合いじゃくり構造が形成されることを特徴とするエレベータの出入口装置のリニューアル方法が提供される。
【００１２】
また、本発明の一態様によれば、上方に折り返された既設折り返し部を有する既設上枠と、エレベータの乗り場および昇降路の間の出入口を開閉する２枚のドアパネルとを、前記乗り場に設ける工程と、この既設上枠に、組立て後上方に折り返される新設上枠折り返し部を前記昇降路側の端部に設けて成る新設上枠を取り付ける工程と、前記２枚のドアパネルの各上端部に、それぞれ下方へ折り返されたドア折り返し部を有する２枚の遮蔽板を取り付ける工程と、を備え、前記新設上枠折り返し部に設けられた前記既設折り返し部よりも上方に突出した突出部と、各ドア折り返し部とによって合いじゃくり構造が形成されることを特徴とするエレベータの出入口装置のリニューアル方法が提供される。
【発明の効果】
【００１３】
本発明によれば、既設の三方枠を残したリニューアル工事を行う場合、既設の枠を残したままで乗り場ドアの耐衝撃性を向上させることが可能になる。
【発明を実施するための最良の形態】
【００１４】
以下、本発明の実施の形態に係るエレベータの出入口装置について、図面を参照しながら説明する。尚、各図において同一箇所については同一の符号を付すとともに、重複した説明は省略する。
【００１５】
（第１の実施形態）
図１（ａ）は本発明の第１の実施形態に係るエレベータの出入口装置を上方から見た断面図である。図１（ｂ）はこの装置を乗り場ホール側から見た正面図である。図１（ｃ）は同装置を正面右側から見た側断面図である。図１（ａ）には図１（ｂ）のＡＡ線に沿う断面構造が示されている。図１（ａ）中、上側は昇降路を表し、下側は乗り場ホールを表す。図１（ｃ）には図１（ｂ）のＢＢ線に沿う断面構造が示されている。
【００１６】
エレベータの出入口装置１は、出入口２の縁部を形成する三方枠３と、この三方枠３の内側に配置された両開き式のドアパネル４、５とを備える。三方枠３は躯体６ａ、６ｂに鉄筋などを介して固設されており、乗り場ホール７から昇降路８に向かって左側、右側にそれぞれ立設された縦枠９、１０と、ドアパネル４、５の上方に配置される上枠１１とからなる。縦枠９は既設枠とこの既設枠に被せる新設枠との２層構造を有する。縦枠１０も既設枠及び新設枠からなる。上枠１１も既設枠及びこれに被せる新設枠からなる。
【００１７】
三方枠３の昇降路８側の下方には、ドアパネル４、５が開閉される方向に沿って延びるホールシル（敷居）１２が取り付けられている。このホールシル１２は乗り場ホール７の床面とほぼ面一にされており、上面には長手方向に沿って延びる溝１３が形成されている。ドアパネル４、５の各下端部には複数個のガイドシュー１４（図中１個のみが表示されている）が固定されており、これらのガイドシュー１４がこの溝１３内に摺動自在に嵌合してドアパネル４、５と一体に移動するようになっている。ドアパネル４、５は、これらのドアパネル４、５の上部が図示しない複数のハンガーローラ及びレールを介して三方枠３の上部に懸架され、これらのハンガーローラを介して戸開、戸閉の各方向に移動することにより、出入口２が開閉される。
【００１８】
図２は図１（ｂ）のＣＣ線に沿うドアパネル５及び縦枠１０の断面図である。同図中、上述した符号と同じ符号を有する要素はそれらと同じものを表す。矢印イはドアパネル５の戸開方向を表し、矢印ロはドアパネル５の戸閉方向を表す。ドアパネル５の戸開側の側端部には、遮蔽板１５が固定されている。この遮蔽板１５の乗り場ホール７側の端部は、戸閉方向に折り返され、折り返し部１６を構成している。躯体６ｂには、既設縦枠１７が固定されている。既設縦枠１７の昇降路８側の端部は所定幅だけ直角を越える角度にまで折り返されており、この端部が折り返されて折り返し部１８が構成されている。折り返し部１８の先端部には、出入口２の上下方向に長い板材１９が取り付けられており、この板材１９は躯体６ｂの壁面を覆う。
【００１９】
既設縦枠１７の外面には新設縦枠２０が固定されている。新設縦枠２０も出入口２の上下方向の長さと同じ長さを有する。この新設縦枠２０の昇降路８側の端部は、戸開方向に所定幅だけ直角を越える角度にまで折り返され、折り返し部２１を構成している。本実施形態に係るエレベータの出入口装置１は、後付けされた新設縦枠２０の折り返し部２１と、遮蔽板１５の折り返し部１６とにより、ドアパネル５が閉じたときに合いじゃくりを構成する。新設縦枠２０は既設縦枠１７に対して付け枠として積層状に取り付けられている。付け枠の折り返し部２１の長さは既存枠の折り返し部１８の長さよりも長くされており、この折り返し部２１が戸閉時に対面するドアパネル５の折り返し部１６とラップすることによって、合いじゃくり構造が形成されている。
【００２０】
また、図１のドアパネル４及び縦枠９の配置関係はドアパネル５及び縦枠１０の配置関係と左右対称である。このドアパネル４は、既設縦枠に新設縦枠が付け枠として積層状に取り付けられており、この付け枠の折り返し部の長さは既存枠の折り返し部の長さよりも長い。この折り返し部が戸閉時に対面するドアパネル４の折り返し部と重なることによって、合いじゃくり構造が形成されている。ドアパネル４、５は、これらのドアパネル４、５に対してドアの開閉力を伝達するドア開閉装置によって開閉されるようになっている。
【００２１】
このような構成の本実施形態に係るエレベータの出入口装置１では、ドア開閉装置がドアパネル４、５を開閉駆動し、これらのドアパネル４、５は同期して互いに反対方向に動作し、出入口２を開閉する。例えばドアパネル５が戸閉された状態では、図２に示すように、板材１９の昇降路８側の面と、折り返し部２１の乗り場ホール７側の面とを側壁とし、折り返し部１８のイ方向側の面を底面とする凹部が形成される。この凹部に折り返し部１６の先端部が凸部として入り込む。また、折り返し部１６の昇降路８側の面と、ドアパネル５の乗り場ホール７側の面とを側壁とし、遮蔽板１５のロ方向側の面を底面とする凹部が形成される。この凹部に折り返し部２１の先端部が凸部として入り込む。板材１９、折り返し部１８、折り返し部１６、折り返し部２１、遮蔽板１５、及びドアパネル５が合いじゃくり状に配置される。上面視かぎ形状にこれらが配置される。
【００２２】
万一、乗り場ホール７側において火災が発生した場合、ドアパネル４、５の各乗り場ホール７側の表面が加熱され、ドアパネル４、５の各表板が膨張あるいは伸張などの熱変形を起こす。これらのドアパネル４、５は乗り場ホール７側に凸に湾曲する。図２の折り返し部２１は、折り返し部１６に当接し、ドアパネル５の反りが規制される。ドアパネル４の反りもこのドアパネル４側に形成される合いじゃくり構造によって規制される。これにより、ドアパネル４、５が湾曲変形した場合に生じうる出入口２及び昇降路８間の隙間の発生が防止される。煙や炎が昇降路８へ侵入することが防止される。
【００２３】
このようにして、本実施形態に係るエレベータの出入口装置１によれば、付け枠を既設枠に取り付けるという簡単な作業により、乗り場ドアは高い耐火性を確保できるようになる。合いじゃくり構造によりドアの脱落も防止され、耐衝撃性も高まる。従って、既設の三方枠を交換せずにリニューアル工事を行え、かつ乗り場ドアに高い耐火性及び耐衝撃性を与えることができるようになる。
【００２４】
従来、このエレベータの出入口装置１により得られる効果と同等の効果を得るためには、既設の三方枠などを交換している。三方枠３の縦枠及び上枠はボルトなどにより、コンクリート又はモルタル製の躯体に埋設固定されている。このため、コンクリートの一部などを機械によって取り除く必要がある。この作業は、騒音、作業性、作業期間の点で、乗客やエレベータ管理者に対して不便をかけるものである。
【００２５】
これに対して本実施形態に係るエレベータの出入口装置１によれば、新設縦枠の既設枠への取り付けといった程度の作業量で、耐衝撃性及び耐火性能に優れた乗り場ドアを得ることができるようになる。別途新設のを取付工事せずに済む。このように、三方枠３を残したリニューアル工事において、既設枠を残したままで乗り場ドアの耐火性能及び耐衝撃性能に対する強度をアップさせることが可能となる。
【００２６】
（第１の実施形態の変形例）
上記の既設縦枠１７の折り返し部１８は、新設縦枠２０の折り返し部２１によって隙間なく装着されていたが、これらの折り返し部１８及び折り返し部２１の間にクリアランスを空けて、このクリアランスにシムを挟み込むことにより所望のクリアランスを保持するようにしてもよい。
【００２７】
図３はクリアランスをもって配置された折り返し部１８及び折り返し部２１をそれぞれ上方から見たこれらの断面構造を示す図である。新設縦枠２０は、その折り返し部２１が既設縦枠１７の折り返し部１８の表面に対して昇降路８側に浮き上がった状態で装備されており、折り返し部１８及び折り返し部２１間のクリアランスにはシム２２が介装されている。シム２２には耐火性能の高い弾性部材が用いられる。例えば合成樹脂製のシム２２を用いることができる。シム２２には板ばねを用いてもよい。このシム２２は貫通穴を設けておき、折り返し部１８及び折り返し部２１にもそれぞれ貫通穴を形成しておく。これらのシム２２、折り返し部１８及び折り返し部２１の各貫通穴に低頭ボルト２３が通されて、低頭ボルト２３の先端はナットなどによってボルト締めされている。
【００２８】
即ち、本発明の第１の実施形態の変形例に係るエレベータの出入口装置は、第１の実施形態の三方枠３において、既設縦枠１７の昇降路８側の折り返し部１８と、新規に取り付ける新設縦枠２０の折り返し部２１との間にクリアランスを設け、そのクリアランスにシム２２を挿入して折り返し部１８及び折り返し部２１間をネジ固定する構造を有する。
【００２９】
例えば、新設縦枠２０と躯体６ｂとの間に所定のクリアランスを確保することができないときに、シム２２の厚みを調整することによってクリアランスを調整することができる。新設縦枠２０の板材の厚さに応じてクリアランスを調整することができる。
【００３０】
一般に、既設縦枠１７の外表面上での端縁部から屈曲部までの寸法は、設置位置に応じて異なるものである。新設縦枠２０自体を加工する際、新設縦枠２０の２つの面のうちの既設縦枠１７の外面に装着される側の面の寸法を、この既設縦枠１７の外面の寸法と一致させることは、困難であるが、この変形例に係るエレベータの出入口装置によれば、新設縦枠２０を後付けする作業がし易くなる。
【００３１】
（第２の実施形態）
上記の第１の実施形態では、縦枠９、１０は横断面ハの字状に配置されていたが（図１（ａ））、乗り場の意匠に応じて三方枠には小枠が選ばれることがある。本発明の実施の形態に係るエレベータの出入口装置は三方枠の形状が小枠構造である場合にも用いられる。三方枠の枠形状が異なる場合でも、同様に合いじゃくり構造を形成することができる。
【００３２】
図４（ａ）は本発明の第２の実施形態に係るエレベータの出入口装置１Ａを上方から見た断面図である。図４（ｂ）はエレベータの出入口装置１Ａを乗り場ホール７側から見た正面図である。図４（ｃ）は同装置を正面右側から見た側断面図である。図４（ａ）には図４（ｂ）のＡＡ線に沿う断面構造が示されており、図４（ｃ）には図４（ｂ）のＢＢ線に沿う断面構造が示されている。図５は図４（ｂ）のＣＣ線に沿うドアパネル５及び縦枠の断面図である。図５中、矢印イはドアパネル５の戸開方向を表し、矢印ロはドアパネル５の戸閉方向を表す。これらの図中、既出符号と同じ符号を有する要素はそれらと同じものである。
【００３３】
エレベータの出入口装置１Ａは、三方枠３Ａと、ドアパネル４、５とを備える。三方枠３Ａは、乗り場ホール７から昇降路８に向かって左側、右側にそれぞれ立設された縦枠２４、２５と、ドアパネル４、５の上方に配置される上枠１１とからなる。縦枠２５は既設縦枠２６とこの既設縦枠２６の外面を覆う新設縦枠２７との２層構造を有する。縦枠２４も図示しない既設縦枠及び新設縦枠からなる。また、図５の例では、既設縦枠２６及び新設縦枠２７の間に、シム２２が低頭ボルトなどによりボルト締めされている。
【００３４】
図５に示すように、ドアパネル５の戸開側の側端部には、遮蔽板１５が固定されており、この遮蔽板１５は折り返し部１６を有する。躯体６ｂに固定された既設縦枠２６の昇降路８側の端部は、所定幅だけ断面Ｌ字状に折り返されており、この折り返されて成る折り返し部２８の先端部には、出入口２の上下方向に長い板材２９が取り付けられており、この板材２９は躯体６ｂの壁面を覆う。
【００３５】
既設縦枠２６の外面には、出入口２の上下方向の長さと同じ長さを有する新設縦枠２７が固定されている。この新設縦枠２７の昇降路８側の端部は、戸開方向に折り返され、折り返し部３０を構成している。エレベータの出入口装置１Ａは、この折り返し部３０と、遮蔽板１５の折り返し部１６とにより、ドアパネル５が閉じたときに合いじゃくりを構成する。ドアパネル４及び縦枠２４の配置関係はドアパネル５及び縦枠２５の配置関係と左右対称である。ドアパネル４も、既設縦枠に新設縦枠が付け枠として積層状に取り付けられており、この付け枠の折り返し部の長さは既存枠の折り返し部の長さよりも長い。この折り返し部が戸閉時に対面するドアパネル４の折り返し部と重なることによって、合いじゃくり構造が形成されている。
【００３６】
このような構成により、ドア開閉装置がドアパネル４、５を開閉駆動し、ドアパネル４、５は出入口２を開閉する。ドアパネル４、５がそれぞれ戸閉されると、ドアパネル４、５によってそれぞれ合いじゃくり構造が形成される。万一、乗り場ホール７側において火災が発生した場合でも、折り返し部３０は、折り返し部１６に当接し、ドアパネル５の反りが規制される。ドアパネル４の反りも規制される。
【００３７】
本発明のこの実施形態に係るエレベータの出入口装置１Ａによれば、小枠のリニューアル工事も、既設の三方枠を残したまま行えるとともに、乗り場ドアの耐火性能及び耐衝撃性能に対する強度をアップさせることが可能になる。
【００３８】
（第３の実施形態）
本発明の第３の実施形態に係るエレベータの出入口装置は、既設の三方枠の折り返し部にそれぞれ戸開方向に突出する板部材を取り付けて、これらの板部材を使って、ドアパネル側の遮蔽板１５との間に合いドアじゃくり構造を形成するようにしている。
【００３９】
図６（ａ）は既設縦枠１７とこの既設縦枠１７に取り付けられる板部材とを昇降路８側から見た斜視図である。既設縦枠１７の折り返し部１８は上下に延びる面部を成し、この面部に板部材３１が戸開方向である左側に突出するように、ネジ穴加工あるいはリベット穴加工や溶接固定により取り付けられている。例えば板部材３１に複数のネジ穴を形成しておき、これらのネジ穴にネジを挿入することによって、板部材３１は既設縦枠１７に締結される。ドアパネル４側の図示しない既設縦枠にも、その締結端の向きがドアパネル５側の板部材３１の締結端の向きと左右対称になるようにして板部材によって締結固定される。
【００４０】
このような構成の既設縦枠１７、他の既設縦枠を含む本実施形態に係るエレベータの出入口装置では、ドアパネル５側において、板部材３１と、遮蔽板１５の折り返し部１６とが、ドアパネル５が閉じたときに合いじゃくりを形成する。ドアパネル４側においても、板部材と、ドアパネル４に取り付けた遮蔽板の折り返し部とが、ドアパネル４が閉じたときに合いじゃくりを構成する。乗り場ドアに高い耐火性及び耐衝撃性が与えられる。
【００４１】
本発明のこの実施形態に係るエレベータの出入口装置によれば、リニューアル工事の際、折り返し部１６の高さ位置やドア開閉方向の幅の寸法に応じて、板部材３１の高さ位置や長さを合わせて取り付けらることができるため、細かな合いじゃくりを構成することができる。板部材３１の代わりに、戸開方向に延出する突起物を用いても良い。
【００４２】
（第３の実施形態の変形例）
ドアパネル５と、遮蔽板１５との間にボルトが通るような構造を、これらのドアパネル５と遮蔽板１５とが採ることがある。この場合、変形例として切り欠きが形成された板部材が用いられる。
【００４３】
図６（ｂ）は本発明の第３の実施形態の変形例に係る既設縦枠１７及びこの既設縦枠１７に取り付けられる板部材の各単体の昇降路８側から見た斜視図である。既設縦枠１７の折り返し部１８の面部に板部材３２が左側に突出するように取り付けられている。板部材３２は左側の端縁部から中央部にかけてボルト挿入用の切欠部３３が形成されている。ドアパネル５と、このドアパネル５に取り付けられた遮蔽板１５とにはそれぞれボルト穴が形成されており、各ボルト穴にボルト３４が挿入されるようにされている。ドアパネル４についてもドアパネル５の例と同じである。
【００４４】
このような構成により、ドアパネル５が戸閉して右側に移動すると、板部材３２は、切欠部３３にボルト３４を通すことにより、折り返し部１８及びドアパネル５の間に介在される。この状態でドアパネル５が閉じたときに合いじゃくりが形成される。ドアパネル４も同様に合いじゃくりが形成される。乗り場ドアに高い耐火性及び耐衝撃性が与えられる。
【００４５】
この変形例に係るエレベータの出入口装置によれば、ドアパネル４、５の各戸袋側に板が設置された場合、もしくはドアパネル４、５に例えば補強用の突起物をボルト３４などにより固定する場合でも、合いじゃくり構造を形成することができる。
【００４６】
（第４の実施形態）
上枠１１（図１）も、既設枠の外面を覆うようにして新設枠が取り付けられる。本発明の第４の実施形態に係るエレベータの出入口装置は、既設の上枠１１と後付けした新設上枠との間に空隙を持たせ、新設上枠の昇降路８側の折り返し部を既設の上枠よりも突出させるようにしている。
【００４７】
図７は本実施形態に係るエレベータの出入口装置を正面右側から見た側断面図であり、図１（ｃ）及び図４（ｃ）のエレベータの出入口装置１、１Ａの上部を拡大した各断面構造に相当する。上述した符号と同じ符号を有する要素はそれらと同じものを表す。
【００４８】
ドアパネル５は、ハンガー３５に遮蔽板３６を介在させてボルト３７により締結されており、このハンガー３５に懸架されている。この遮蔽板３６の乗り場ホール７側の端部は、下方に所定幅だけ折り返され、折り返し部３８を構成している。躯体６ｂには既設上枠３９が固定されており、この既設上枠３９の昇降路８側の端部は、所定幅だけ上方に折り返されている。折り返し部４０はドアパネル５のパネル面と平行である。既設上枠３９の外面には新設上枠４１が固定されている。この新設上枠４１と、既設上枠３９とによって上枠１１が構成される。新設上枠４１の昇降路８側の端部は、上方に所定幅だけ折り返され、折り返し部４２を構成している。この折り返し部４２と、遮蔽板３６の折り返し部３８とにより、ドアパネル５が閉じたときに合いじゃくりを構成する。
【００４９】
また、新設上枠４１と、既設上枠３９とは、この新設上枠４１の折り返し部４２の面と、この既設上枠３９の折り返し部４０の面とが平行になるように、隙間ｗ１を隔てて対面する。新設上枠４１の折り返し部４２の折り返し幅は、既設上枠３９の折り返し部４０の折り返し幅よりもｗ２だけ大きくされている。後付け枠の昇降路８側の部位が延長されており、この延長された部位とドアパネル５の合いじゃくり板とのラップ代が確保されている。ドアパネル４及び上枠１１の配置関係はドアパネル５及び上枠１１の配置関係と左右対称である。既設上枠３９の乗り場ホール７側端部は、躯体６ｂの鉄筋に図示しないボルトなどにより固定されており、既設上枠３９と躯体６ｂとの間の間隙には、モルタル４３が充填されている。
【００５０】
このような構成により、常時、ドアパネル４、５のそれぞれと上枠１１とは合いじゃくり構造を形成し、乗り場ホール７側において火災が万一発生した場合、折り返し部４２は、折り返し部３８に当接し、ドアパネル５の反りが規制される。ドアパネル４についてもドアパネル５の例と同じである。
【００５１】
本発明のこの実施形態に係るエレベータの出入口装置によれば、リニューアル工事の際、既設の三方枠を残した状態で三方枠を新設することができ、乗り場ドアの耐火性能及び耐衝撃性能に対する強度をアップさせることが可能になる。
【００５２】
（第５の実施形態）
上記の各実施形態及び変形例では、既設三方枠に新設三方枠を後付けし、この新設三方枠とドアパネルとから構成される合いじゃくり構造を用いて乗り場ドアの耐火性能及び耐衝撃性能を向上させるものである。本発明の第５の実施形態に係るエレベータの出入口装置に用いられるホールシル１２は、既設のホールシルの上に、このホールシルを覆うようにして薄板を後付けで装着し、この薄板によりドアパネルのガイドシューを溝１３から外れにくくなるようにした構造を有し、この構造により強度を向上させるようにしている。
【００５３】
図８（ａ）はホールシル１２の縦断面構造を示す図である。同図中、既出の符号は上述した要素に対応する。ホールシル１２は、床面４４の昇降路８側の側端に据え付けられた既設のホールシル４５と、このホールシル４５の上に設けられた被せシル４６とを有する。ホールシル４５はアルミやステンレスなどの部材で構成され、モルタルなどを用いて固定される。被せシル４６は金属薄板からなり、板面に突条及び溝部が形成されている。これらのホールシル４５及び被せシル４６はボルト４７により一体的に固定されている。
【００５４】
被せシル４６の下側の凹凸はホールシル４５の底及び側壁に当たる縦断面形状を有し、この被せシル４６がこのホールシル４５に上方からかぶせられることにより溝１３が形成されている。溝１３は、断面コ字型の開口を上方に向けてドアパネル４、５の開閉方向に延びて形成されており、溝１３の開口端の溝幅は、溝１３の溝底における溝幅よりも狭い。被せシル４６は、ガイドシュー１４の挿入口の開口縁部に抜止め構造を有する。
【００５５】
図８（ｂ）はガイドシュー１４が溝１３に嵌挿された状態の溝１３及びガイドシュー１４の縦断面構造を示す図である。ガイドシュー１４は、先端部１４ａ及び取り付けベース１４ｂからなる。被せシル４６の溝１３の溝縁部には、これらの溝縁部からそれぞれ溝幅方向中央に向かって突出した突起部４８が形成されており、ガイドシュー１４が上方へ変位すると、先端部１４ａがこれらの突起部４８に当接して引っ掛かるようになっている。
【００５６】
この構造を有するエレベータの乗り場敷居において、後付けされた被せシル４６の溝１３を、ドアパネル４、５が係合して移動する。溝部の入り口部の一部が狭める形の断面形状を被せシル４６を有するため、ガイドシュー１４は溝１３から脱落することが防止される。
【００５７】
本発明のこの実施形態に係るエレベータの出入口装置によれば、ドアパネル４、５が変形した場合でも、ホールシル１２の引っ掛かり構造によってガイドシュー１４が抜け止めされ、ドアパネル４、５が脱落することが抑制されるため、耐衝撃性能が向上し、かつ熱変形に対する強度が向上する。
【００５８】
（第５の実施形態の第１変形例）
図９は本発明の第５の実施形態の第１変形例に係るエレベータの出入口装置に用いられるホールシル１２Ａの縦断面構造を示す図である。ホールシル１２Ａは、既設のホールシル４５と、薄板状の被せシル４６ａとを有する。床面４４の一部には、この床面４４よりも低い底面を有する凹状溝部４９が形成されている。被せシル４６ａの乗り場ホール７側の端部は所定幅だけ下方へ折り返されており、折り返された折り返し部５０は凹状溝部４９に挿入されている。この折り返し部５０が挿入された状態の凹状溝部４９にはコーキング材が充填されており、コーキング材の上面と折り返し部５０とが連続するようにされている。既設のホールシル４５の乗り場ホール７側の側壁と、折り返し部５０の昇降路８側の面との成す角度は、０度から９０度の範囲の所望の角度を選ぶことができる。
【００５９】
即ち、ホールシル１２Ａは薄板状であり、乗り場ホール７側の段差をなくすために乗り場ホール７側に鈍角をつけた構造を有する。このホールシル１２Ａを設置する工法は、乗り場ホール７側の床の一部を削り、削った後、薄板製のホールシル１２ａを既設ホールシル４５の上に設置し、削った凹状溝部にシール材やモルタルを用いて埋め戻すものである。
【００６０】
このようにして、この変形例によれば、床の一部を削って、被せシル４６ａの一部がコーキング処理によって埋め戻される工法が実施されるため、乗客の足元がホールシル１２Ａの上面に引っ掛けられることが防止されるようになる。
【００６１】
（第５の実施形態の第２変形例）
図１０は本発明の第５の実施形態の第２変形例に係るエレベータの出入口装置に用いられるホールシル１２Ｂの縦断面構造を示す図である。ホールシル１２Ｂは、既設のホールシル４５と、このホールシル４５の上面のうち溝１３よりも昇降路８寄りの面上に置かれたスペーサ５１と、ホールシル４５の上面のうち溝１３よりも乗り場ホール７寄りの面上に置かれたスペーサ５２と、このスペーサ５２よりも乗り場ホール７側に設けられ傾斜面を有する床材５３とを備える。スペーサ５１、５２は別部材の敷居として機能する。スペーサ５１、５２によって溝１３の溝深さが調節可能にされている。溝深さが決定された後、床材５３が勾配をつけて盛られることによって、スペーサ５２の上面及び床面４４が連続するようになっている。
【００６２】
即ち、ホールシル１２Ｂ、既設の乗り場敷居の上に、この乗り場敷居の溝に沿った位置に別部材の敷居を取り付けることで敷居の溝の深さを深くした構造を有する。このホールシル１２Ｂを設置する工法は、既設のホールシル４５の上のスペーサ５１、５２の高さ位置を決めて、位置決めの後、床材５３を盛ることにより乗り場床を面一にする。
【００６３】
この変形例によれば、ホールシル４５に対するガイドシュー１４の差込深さを既設のホールシルの状態の差し込み深さよりも深くすることができる。差し込み深さが増えることは、引っかかり代が増えることと同義であるため、耐火性能や耐衝撃性の向上を実現している。
【００６４】
尚、本発明は上記実施形態そのままに限定されるものではなく、実施段階ではその要旨を逸脱しない範囲で構成要素を変形して具体化できる。また、エレベータドアの扉方式は両開きのみに限定されることはなく、片開きのドアにおいても、戸袋側や枠上部のドアパネルと三方枠の隙間部は類似した構造であるため、本発明を片開き方式のドアにも適用することができる。さらに、三方枠の形状においては、機能的には昇降路側の三方枠の形状のみ類似した形状であれば、本発明の効果が得られるため、三方枠の乗り場側の意匠面の形状は任意の形状とすることができる。
【００６５】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６６】
【図１】本発明の第１の実施形態に係るエレベータの出入口装置の三面図である。
【図２】図１のエレベータの出入口装置のドアパネル及び三方枠の縦枠の断面図である。
【図３】本発明の第１の実施形態の変形例に係るエレベータの出入口装置に用いられる折り返し部及び折り返し部の断面構造を示す図である。
【図４】本発明の第２の実施形態に係るエレベータの出入口装置の三面図である。
【図５】図４のエレベータの出入口装置のドアパネル及び三方枠の縦枠の断面図である。
【図６】（ａ）は本発明の第３の実施形態に係るエレベータの出入口装置に用いられる既設縦枠及び板部材の各単体の斜視図であり、（ｂ）は本発明の第３の実施形態の変形例に係るエレベータの出入口装置に用いられる既設縦枠及び板部材の各単体の斜視図である。
【図７】本発明の第４の実施形態に係るエレベータの出入口装置の側断面図である。
【図８】（ａ）は本発明の第５の実施形態に係るエレベータの出入口装置に用いられるホールシルの縦断面構造を示す図であり、（ｂ）は溝及びガイドシューの縦断面構造を示す図である。
【図９】本発明の第５の実施形態の第１変形例に係るエレベータの出入口装置に用いられるホールシルの縦断面構造を示す図である。
【図１０】本発明の第５の実施形態の第２変形例に係るエレベータの出入口装置に用いられるホールシルの縦断面構造を示す図である。
【符号の説明】
【００６７】
１，１Ａ…エレベータの出入口装置、２…出入口、３，３Ａ…三方枠、４，５…ドアパネル、６ａ，６ｂ…躯体、７…乗り場ホール、８…昇降路、９，１０，２４，２５…縦枠、１１…上枠、１２，１２Ａ，１２Ｂ…ホールシル、１３…溝、１４…ガイドシュー、１４ａ…先端部、１４ｂ…取り付けベース、１５，３６…遮蔽板、１６…折り返し部、１７，２６…既設縦枠、１８，２８…折り返し部、１９，２９…板材、２０，２７…新設縦枠、２１，３０…折り返し部、２２…シム、２３…低頭ボルト、３１，３２…板部材、３３…切欠部、３４，３７，４７…ボルト、３５…ハンガー、３８，４２…折り返し部、３９…既設上枠、４０…折り返し部、４１…新設上枠、４３…モルタル、４４…床面、４５…ホールシル、４６，４６ａ…被せシル、４８…突起部、４９…凹状溝部、５０…折り返し部、５１，５２…スペーサ、５３…床材。
【図１】
2010137957.tif 000003
【図２】
2010137957.tif 000004
【図３】
2010137957.tif 000005
【図４】
2010137957.tif 000006
【図５】
2010137957.tif 000007
【図６】
2010137957.tif 000008
【図７】
2010137957.tif 000009
【図８】
2010137957.tif 000010
【図９】
2010137957.tif 000011
【図１０】
2010137957.tif 000012